(57)【要約】【課題】食事中でも塩分と糖分とを計測可能で、しかも食事をする人の味覚に合わせ、調理後、個人的に味を調える場合にも対応可能な塩分・糖分計測箸を提供する。【解決手段】食事の際、一方の箸棒１１の塩分センサ１３と他方の箸棒１２の糖分センサ１７とを、同時または順次、飲食物に接触させる。これにより、塩分センサ１３からの塩分信号に基づき、飲食物の塩分を塩分計測手段１４が計測し、糖分センサ１７からの糖分信号に基づき、飲食物の糖分を糖分計測手段１８が計測する。塩分値は塩分表示ディスプレイ１６に表示され、糖分値は糖分表示ディスプレイ２０に表示される。その結果、食事中でも塩分と糖分とを計測できる。そのため、食事をする人の味覚に合わせ、調理後、個人的に味を調えた場合にも対応できる。【選択図】図１
2005143553.tif 000002
【特許請求の範囲】
【請求項１】
食べ物を挟む２本の箸棒と、
一方の箸棒に設けられる塩分センサと、
該塩分センサからの塩分信号に基づき、他方の箸に接触した飲食物の塩分を計測する塩分計測手段と、
計測された塩分値を表示する塩分表示部と、
他方の箸棒に設けられる糖分センサと、
該糖分センサからの糖分信号に基づき、他方の箸に接触した飲食物の糖分を計測する糖分計測手段と、
計測された糖分値を表示する糖分表示部とを備えた塩分・糖分計測箸。
【請求項２】
上記塩分計測手段と塩分表示部とは一方の箸棒に配設され、
上記糖分計測手段と糖分表示部とは他方の箸棒に配設された請求項１に記載の塩分・糖分計測箸。
【請求項３】
上記一方の箸棒には、塩分センサからの塩分信号を無線で送信する塩分データ送信部が設けられ、
上記他方の箸棒には、糖分センサからの糖分信号を無線で送信する糖分データ送信部が設けられ、
上記塩分計測手段と糖分計測手段とは、両箸棒から分離された塩分・糖分計測器に配設され、
該塩分・糖分計測器には、上記塩分データ送信部から送信された塩分信号を受信する塩分データ受信部と、上記糖分データ送信部から送信された糖分信号を受信する糖分データ受信部とが配設された請求項１に記載の塩分・糖分計測箸。
【請求項４】
上記塩分計測手段と糖分計測手段とは、両箸棒から分離された塩分・糖分計測器に配設され、
上記塩分センサと塩分計測手段とは電線により接続され、
上記糖分センサと糖分計測手段とは別の電線により接続された請求項１に記載の塩分・糖分計測箸。
【請求項５】
上記塩分・糖分計測器には、箸置きと箸入れとが配設された請求項１〜請求項４に記載の塩分・糖分計測箸。
【発明の詳細な説明】
【技術分野】
【０００１】
この発明は、塩分・糖分計測箸、詳しくは成人病予防などのため、例えば食事中などに飲食物の塩分および糖分を計測可能な塩分・糖分計測箸に関する。
【背景技術】
【０００２】
従来、飲食物の塩分および糖分は、食事の前に塩分計測器と糖分計測器とにより別々に計測されていた。
塩分計測器は、例えば特許文献１のように、塩分センサからの塩分信号に基づき、塩分センサが接触した飲食物の塩分を塩分計測手段により計測し、得られた塩分値を塩分表示部に表示する。糖分計測器は、糖分センサからの糖分信号に基づき、糖分センサが接触した飲食物の糖分を糖分計測手段により計測し、得られた糖分値を糖分表示部に表示する。
【０００３】
しかしながら、従来の塩分計測器および糖分計測器によれば、塩分と糖分との計測は、あらかじめ食事の前に、個別に行わなければならなかった。そのため、塩分と糖分との計測に手間を要していた。しかも、食事する人の味覚に合わせ、調理後、個人的に調味料を加えて味を調える場合には対応することができなかった。
また、塩分計測器と糖分計測器とをそれぞれ必要としたので、両計測器のトータルな大きさが増大し、コストも高騰していた。
【０００４】
【特許文献１】特開平７−２７６２４号公報
【発明の開示】
【発明が解決しようとする課題】
【０００５】
この発明は、上記問題点に鑑みなされたもので、食事中でも塩分と糖分とを計測することができ、しかも食事をする人の味覚に合わせ、調理後、個人的に味を調える場合にも対応するとができる塩分・糖分計測箸を提供することを目的としている。
また、この発明は、コンパクトで、低コストな塩分・糖分計測箸を提供することを目的としている。
【課題を解決するための手段】
【０００６】
請求項１に記載の発明は、食べ物を挟む２本の箸棒と、一方の箸棒に設けられる塩分センサと、該塩分センサからの塩分信号に基づき、上記一方の箸棒に接触した飲食物の塩分を計測する塩分計測手段と、計測された塩分値を表示する塩分表示部と、他方の箸棒に設けられる糖分センサと、該糖分センサからの糖分信号に基づき、上記他方の箸棒に接触した飲食物の糖分を計測する糖分計測手段と、計測された糖分値を表示する糖分表示部とを備えた塩分・糖分計測箸である。
【０００７】
請求項１に記載の発明によれば、食事の際、一方の箸棒の塩分センサと他方の箸棒の糖分センサとを、同時または順次、飲食物に接触させる。これにより、塩分センサからの塩分信号に基づき、飲食物の塩分を塩分計測手段が計測するとともに、糖分センサからの糖分信号に基づき、飲食物の糖分を糖分計測手段が計測する。計測された塩分値は塩分表示部に表示される一方、計測された糖分値は糖分表示部に表示される。
これにより、食事中でも塩分と糖分とを計測することができる。そのため、食事をする人の味覚に合わせ、調理後、個人的に味を調えた場合にも対応するとができる。
【０００８】
塩分および糖分の計測時期は、食事の前または食事中である。
各箸棒の素材、長さ、断面形状などは限定されない。
各箸棒において、塩分センサまたは糖分センサが設置される箇所は限定されない。ただし、各箸棒の先端部が好ましい。
塩分表示部および糖分表示部としては、例えば液晶ディスプレイ、ブラウン管、プリンタなどを採用することができる。
【０００９】
請求項２に記載の発明は、上記一方の箸棒には、上記塩分計測手段と塩分表示部と電源とが配設され、上記他方の箸棒には、上記糖分計測手段と糖分表示部と電源とが配設された請求項１に記載の塩分・糖分計測箸である。
【００１０】
請求項２に記載の発明によれば、一方の箸棒に塩分計測手段と塩分表示部と電源とを配設し、他方の箸棒に糖分計測手段と糖分表示部と電源とを配設したので、普通の箸と同じ自由度が得られるとともに、塩分計測器および糖分計測器のコンパクト化および低コスト化を図ることができる。
【００１１】
塩分計測手段および糖分計測手段は、例えば対応する箸棒内にそれぞれ設けることができる。
また、塩分表示部および糖分表示部は、例えば対応する箸棒の中央部の表面または裏面、または、元部の表面または裏面に設けることができる。
【００１２】
請求項３に記載の発明は、上記一方の箸棒には、塩分センサからの塩分信号を無線で送信する塩分データ送信部が設けられ、上記他方の箸棒には、糖分センサからの糖分信号を無線で送信する糖分データ送信部が設けられ、上記塩分計測手段と糖分計測手段とは、両箸棒から分離された塩分・糖分計測器に配設され、該塩分・糖分計測器には、上記塩分データ送信部から送信された塩分信号を受信する塩分データ受信部と、上記糖分データ送信部から送信された糖分信号を受信する糖分データ受信部とが配設された請求項１に記載の塩分・糖分計測箸である。
【００１３】
請求項３に記載の発明によれば、塩分センサからの塩分信号は塩分データ送信部から塩分データ受信部が無線で受け、糖分センサからの糖分信号は糖分データ送信部から糖分データ受信部が無線で受ける。
このように、両センサからの塩分信号および糖分信号を、塩分・糖分計測器に無線で送信するように構成したので、普通の箸と同じ自由度が得られるとともに、両箸棒には対応するセンサだけが組み込まれるので、普通の箸と同等の重さにすることができる。
【００１４】
請求項４に記載の発明は、上記塩分計測手段と糖分計測手段とは、両箸棒から分離された塩分・糖分計測器に配設され、上記塩分センサと塩分計測手段とは電線により接続され、上記糖分センサと糖分計測手段とは別の電線により接続された請求項１に記載の塩分・糖分計測箸である。
【００１５】
請求項５に記載の発明は、上記塩分・糖分計測器には、箸置きと箸入れとが配設された請求項１〜請求項４に記載の塩分・糖分計測箸である。
【００１６】
請求項５に記載の発明によれば、食事中、箸を箸置きに置くことができる。また、食事の前後は、箸を箸入れに納めて保管することができる。
【発明の効果】
【００１７】
請求項１に記載の発明によれば、塩分センサを一方の箸棒に設け、糖分センサが他方の箸棒に設けたので、食事の前だけでなく食事中でも飲食物の塩分と糖分とを計測することができる。しかも、食事をする人の味覚に合わせ、調理後、個人的に味を調えた場合にも対応するとができる。
【００１８】
請求項２に記載の発明によれば、一方の箸棒に塩分計測手段と塩分表示部と電源とを配設し、他方の箸棒に糖分計測手段と糖分表示部と電源とを配設したので、普通の箸と同じ自由度が得られるとともに、塩分計測器および糖分計測器のコンパクト化および低コスト化を図ることができる。
【００１９】
請求項３に記載の発明によれば、両センサからの塩分信号および糖分信号を、塩分・糖分計測器に配設された塩分データ受信部と糖分データ受信部とに無線で送信するので、普通の箸と同じ自由度が得られるとともに、両箸棒には対応するセンサだけが組み込まれるので、普通の箸と同等の重さにすることができる。
【００２０】
請求項５に記載の発明によれば、食事中、箸を箸置きに置くことができる。また、食事の前後は、箸を箸入れに納めて保管することができる。
【発明を実施するための最良の形態】
【００２１】
以下、この発明の実施例を図面を参照して説明する。
【実施例１】
【００２２】
図１において、１０はこの発明の実施例１に係る塩分・糖分計測箸で、この塩分・糖分計測箸１０は、食べ物を挟む２本の箸棒１１，１２を有している。
一方の箸棒１１の先端部には、塩分センサ１３が設けられている。一方の箸棒１１の元部から中央部にかけては、塩分センサ１３からの塩分信号に基づき、一方の箸棒１１に接触した飲食物の塩分を計測する塩分計測手段１４が内蔵されている。また、一方の箸棒１１の元部には、電源としてのボタン電池１５が交換可能に収納されている。一方の箸棒１１の元部の表層には、計測された塩分値を液晶表示する塩分表示ディスプレイ（塩分表示部）１６が、表示面を露出して埋め込まれている。
【００２３】
他方の箸棒１２の先端部には、糖分センサ１７が設けられている。他方の箸棒１２の元部から中央部にかけては、糖分センサ１７からの糖分信号に基づき、他方の箸棒１２に接触した飲食物の糖分を計測する糖分計測手段１８が内蔵されている。また、他方の箸棒１２の元部には、電源としてのボタン電池１９が交換可能に収納されている。他方の箸棒１２の元部の表層には、計測された糖分値を液晶表示する糖分表示ディスプレイ２０（塩分表示部）が、表示面を露出させて埋め込まれている。
【００２４】
次に、図２（ａ），（ｂ）を参照して、塩分・糖分計測箸１０の制御回路を説明する。
まず、塩分計測用の制御回路のブロック図を説明する。
図２（ａ）に示すように、塩分計測用の制御回路は演算部であるＣＰＵ２１を有し、ＣＰＵ２１の入力側に塩分センサ１３が接続され、ＣＰＵ２１の出力側には塩分計測手段１４と、塩分表示ディスプレイ１６とが接続されている。塩分センサ１３からの塩分信号はＣＰＵ２１に入力され、ＣＰＵ２１から塩分計測手段１４に伝達され、塩分値が計測される。得られた塩分値は、ＣＰＵ２１からの指令により塩分表示ディスプレイ１６に表示される。
【００２５】
図２（ｂ）に示すように、糖分計測用の制御回路は演算部であるＣＰＵ２２を有し、ＣＰＵ２２の入力側に糖分センサ１７が接続され、ＣＰＵ２２の出力側には糖分計測手段１８と、糖分表示ディスプレイ２０とが接続されている。糖分センサ１７からの糖分信号はＣＰＵ２１に入力され、ＣＰＵ２１から糖分計測手段１８に伝達され、糖分値が計測される。得られた糖分値は、ＣＰＵ２１からの指令により糖分表示ディスプレイ２０に表示される。
【００２６】
次に、実施例１の塩分・糖分計測箸の使用方法を説明する。
食事の際、一方の箸棒１１の塩分センサ１３と他方の箸棒１２の糖分センサ１７とを、同時または順次、飲食物に接触させる。これにより、一方の箸棒１１において、塩分センサ１３からの塩分信号に基づき、飲食物の塩分を塩分計測手段１４が計測する。また、他方の箸棒１２において、糖分センサ１７からの糖分信号に基づき、飲食物の糖分を糖分計測手段１８が計測する。計測された塩分値は塩分表示ディスプレイ１６に表示され、計測された糖分値は糖分表示ディスプレイ２０に表示される。
これにより、食事中でも塩分と糖分とを計測することができる。また、食事をする人の味覚に合わせ、調理後、個人的に味を調えた場合にも対応するとができる。
また、一方の箸棒１１に塩分計測手段１４と塩分表示ディスプレイ１６とを配設し、他方の箸棒１２に糖分計測手段１８と糖分表示ディスプレイ２０とを配設したので、普通の箸と同じ自由度が得られるとともに、塩分計測器および糖分計測器のコンパクト化および低コスト化を図ることができる。
【実施例２】
【００２７】
次に、図３を参照してこの発明の実施例２に係る塩分・糖分計測箸を説明する。
図３に示すように、実施例２の塩分・糖分計測箸３０は、一方の箸棒１１に、塩分センサ１３からの塩分信号を無線で送信する塩分データ送信部３１が設けられ、他方の箸棒１２には、糖分センサ１７からの糖分信号を無線で送信する糖分データ送信部３２が設けられている。
塩分計測手段１４と糖分計測手段１８とは、両箸棒１１，１２から分離された塩分・糖分計測器３３に配設されている。塩分・糖分計測器３３には、塩分データ送信部３１から送信された塩分信号を受信する塩分データ受信部３４と、糖分データ送信部３４から送信された糖分信号を受信する糖分データ受信部３５とが配設されている。また、塩分・糖分計測器３３には、塩分表示ディスプレイ１６と糖分表示ディスプレイ２０とが配設されている。
そして、塩分・糖分計測器３３には、１対の箸置き３６と箸入れ３７とが配設されている。これにより、食事を一旦中止する際など、両箸棒１１，１２を箸置き３６に置くことができる。また、食事前または食事後の塩分・糖分計測箸１０を箸入れ３７に収納することができる。
【００２８】
塩分センサ１３からの塩分信号は、塩分データ送信部３１から塩分データ受信部３４が無線で受け、塩分計測手段１４により塩分を計測し、塩分値を塩分表示ディスプレイ１６に表示する。また、糖分センサ１７からの糖分信号は、糖分データ送信部３２から糖分データ受信部３５が無線で受け、糖分計測手段１８により塩分を計測し、塩分値を塩分表示ディスプレイ２０に表示する。
このように、両センサ１３，１７からの塩分信号および糖分信号を、塩分・糖分計測器３３に無線で送信するように構成したので、普通の箸と同じ自由度が得られるとともに、両箸棒１１，１２には対応するセンサ１３，１７だけが組み込まれるので、普通の箸と同等の重さにすることができる。
その他の構成、作用および効果は、実施例１から推測できる範囲であるので説明を省略する。
【実施例３】
【００２９】
次に、図４を参照してこの発明の実施例３に係る塩分・糖分計測箸を説明する。
図４に示すように、実施例３の塩分・糖分計測箸４０は、塩分計測手段１４と糖分計測手段１８とは、両箸棒１１，１２から分離された塩分・糖分計測器３３に配設され、塩分センサ１１と塩分計測手段１４とは電線４１により接続され、糖分センサ１７と糖分計測手段１８とは別の電線４２により接続されている。
その他の構成、作用および効果は、実施例１から推測できる範囲であるので説明を省略する。
【図面の簡単な説明】
【００３０】
【図１】この発明の実施例１に係る塩分・糖分計測箸の正面図である。
【図２】（ａ）この発明の実施例１に係る塩分・糖分計測箸の塩分計測用の制御回路のブロック図である。（ｂ）この発明の実施例１に係る塩分・糖分計測箸の糖分計測用の制御回路のブロック図である。
【図３】この発明の実施例２に係る塩分・糖分計測箸の斜視図である。
【図４】この発明の実施例３に係る塩分・糖分計測箸の斜視図である。
【符号の説明】
【００３１】
１０，３０，４０  塩分・糖分計測箸
１１  一方の箸棒
１２  他方の箸棒
１３  塩分センサ
１４  塩分計測手段
１５，１９  ボタン電池（電源）
１６  塩分表示ディスプレイ（塩分表示部）
１７  糖分センサ
１８  糖分計測手段
２０  糖分表示ディスプレイ（糖分表示部）
３１  塩分データ送信部
３２  糖分データ送信部
３３  塩分・糖分計測器
３４  塩分データ受信部
３５  糖分データ受信部
３６  箸置き
３７  箸入れ
４１，４２  電線
【図１】
2005143553.tif 000003
【図２】
2005143553.tif 000004
【図３】
2005143553.tif 000005
【図４】
2005143553.tif 000006